(57)【要約】【課題】火災報知設備の点検作業を既存の無線機を用いて行う。【解決手段】火災報知設備１の発信機１２に設置された電話ジャック１２ａと、無線子機５０との間で無線通信を行う無線親機４０とを接続し、無線親機４０とは別体に設けられた無線機接続アダプタ２０であって、電話ジャック１２ａに挿入される電話プラグ２１と、無線親機４０の音声信号の入出力端子に接続される無線接続端子２２と、無線接続端子２２と電話プラグ２１との間に接続され、無線親機４０から入力された音声信号を変換して電話プラグ２１へ出力するとともに、電話プラグ２１から入力された音声信号を変換して無線接続端子２２へ出力する変換回路３０とを有する。【選択図】図１
2019003315.tif 000002
【特許請求の範囲】
【請求項１】
火災報知設備の発信機に設置された電話ジャックと、無線子機との間で無線通信を行う無線親機とを接続し、前記無線親機とは別体に設けられた無線機接続アダプタであって、
前記電話ジャックに挿入される電話プラグと、
前記無線親機の音声信号の入出力端子に接続される無線接続端子と、
前記電話プラグと前記無線接続端子との間に接続され、前記無線親機から入力された音声信号を変換して前記電話プラグへ出力するとともに、前記電話プラグから入力された音声信号を変換して前記無線接続端子へ出力する変換回路と
を有することを特徴とする無線機接続アダプタ。
【発明の詳細な説明】
【技術分野】
【０００１】
本発明は、無線機を用いて火災報知設備の点検を行う際に使用される無線機接続アダプタに関するものである。
【背景技術】
【０００２】
従来から、高層ビル等の施工時またはメンテナンス時において、防災センタ等に設けられる火災受信機と端末機器付近の現場との連絡を行う必要がある。そこで、無線親機が現場の発信機に接続され、作業者が携帯する無線子機と無線親機との間で無線通信することが提案されている（例えば、特許文献１参照）。特許文献１には、移動通信装置と無線通信を行う無線基地局が、防災装置の電話ジャックに接続され、無線基地局を介して移動通信装置と火災受信機との間で通信を行う防災システムが開示されている。
【先行技術文献】
【特許文献】
【０００３】
【特許文献１】特開平１０−１３４２８７号公報
【発明の概要】
【発明が解決しようとする課題】
【０００４】
特許文献１においては、発信機に接続できる点検用の専用の無線基地局を設ける必要がある。しかしながら、コスト及び容易に点検設備を用意する等の観点から、既存の無線通信システムを利用して火災報知設備の試験が行われることが望まれている。
【０００５】
本発明は、火災報知設備の試験を行う際に、既存の無線機を用いて火災受信機と端末機器付近の現場との連絡を行うことができる無線機接続アダプタを提供することを目的とする。
【課題を解決するための手段】
【０００６】
本発明に係る無線機接続アダプタは、火災報知設備の発信機に設置された電話ジャックと、無線子機との間で無線通信を行う無線親機とを接続し、無線親機とは別体に設けられた無線機接続アダプタであって、電話ジャックに挿入される電話プラグと、無線親機の音声信号の入出力端子に接続される無線接続端子と、電話プラグと無線接続端子との間に接続され、無線親機から入力された音声信号を変換して電話プラグへ出力するとともに、電話プラグから入力された音声信号を変換して無線接続端子へ出力する変換回路とを有する。
【発明の効果】
【０００７】
本発明の無線機接続アダプタによれば、火災報知設備の点検時には、既存の無線親機及び無線子機を使用することができ、専用の無線基地局を設ける必要がなくなり、コストを削減することができるとともに、点検システムの構築を容易に行うことができる。
【図面の簡単な説明】
【０００８】
【図１】本発明の実施形態に係る無線機接続アダプタを利用した火災報知設備の模式図である。
【図２】図１の無線機接続アダプタの一例を示すブロック図である。
【発明を実施するための形態】
【０００９】
以下、本発明の無線機接続アダプタの実施の形態について図面を参照して説明する。図１は本発明の実施形態に係る無線機接続アダプタを利用した火災報知設備の模式図である。図１の火災報知設備１は、送受話器を有する火災受信機１０と、信号線Ｌ１を介して火災受信機１０と接続される端末機器である火災感知器１１と、信号線Ｌ１を介して火災受信機１０と接続された発信機１２とを備える。このうち、発信機１２は、火災受信機１０と電話線Ｌ２を介して接続される電話ジャック１２ａを有する。
【００１０】
火災報知設備１の施工時もしくはメンテナンス時において、火災受信機１０と連絡する必要がある。そこで、火災感知器１１等の端末機器が設置されている現場と火災受信機１０との間の通信が無線通信を利用して行われる。具体的には、無線親機４０が発信機１２の電話ジャック１２ａに無線機接続アダプタ２０を介して接続され、無線親機４０と火災受信機１０との間で通信可能になっている。また、無線親機４０は、無線子機５０と無線通信するものであり、現場の作業員は無線子機５０を用いて火災受信機１０からの情報を無線親機４０を介して取得する。現場の作業員は、無線子機５０を用いて端末機器に関する情報を無線親機４０を介して火災受信機１０側に伝達する。
【００１１】
特に、双方向の通信が効率的に行われるように、無線親機４０は、音声を感知すると自動で送信状態になるＶＯＸ機能を有している。無線親機４０は、電話線Ｌ２側から音声が送信されたことを検知すると、ＶＯＸ機能により自動的に無線子機５０への送信状態に設定される。一方、無線親機４０は、電話線Ｌ２側からの音声が検知されないとき、自動的に無線子機５０への送信スイッチがＯＦＦになる。一方、無線親機４０は、無線子機５０からの音声を受信すると、受信した音声を電話線Ｌ２側へ出力する。なお、図１において、ＶＯＸ機能を有する無線親機４０を用いた場合について例示しているが、無線親機４０とは別体としてＶＯＸユニットが接続されてもよい。
【００１２】
通常、発信機１２の電話線Ｌ２（電話ジャック１２ａ）と無線親機４０とはコネクタ形状が異なるとともに、電話線Ｌ２による音声信号と無線親機４０からの音声信号とは通信仕様が異なる。そこで、無線機接続アダプタ２０がコネクタ変換及び音声信号の変換を行い、無線親機４０と火災受信機１０との通信を可能にしている。
【００１３】
図２は図１の無線機接続アダプタの一例を示すブロック図であり、図１及び図２を参照して無線機接続アダプタ２０について説明する。無線機接続アダプタ２０は、無線親機４０とは別体として構成されている。無線機接続アダプタ２０は、発信機１２の電話ジャック１２ａに挿入される電話プラグ２１と、無線親機４０の音声信号の入出力端子に接続される無線接続端子（無線プラグ）２２と、電話プラグ２１と無線接続端子２２との間に接続された変換回路３０を有する。
【００１４】
電話プラグ２１は、ケーブル２０ａを介して変換回路３０の機器側コネクタ３１に接続されている。なお、ケーブル２０ａは機器側コネクタ３１に固定されてもよいし、着脱可能に取り付けられてもよい。無線接続端子２２は、ケーブル２０ｂを介して変換回路３０の無線側コネクタ３２に接続されている。なお、ケーブル２０ｂは無線側コネクタ３２に固定されてもよいし、着脱可能に取り付けられてもよい。ここで、例えば電話プラグ２１は２芯であり、無線接続端子２２は４芯である。つまり、変換回路３０において２芯−４芯の変換が行われる。
【００１５】
変換回路３０は、無線親機４０から入力された音声信号（以下、無線音声信号と称する場合もある。）を変換して電話プラグ２１へ出力するとともに、電話プラグ２１から入力された音声信号（以下、電話音声信号と称する場合もある。）を変換して無線接続端子２２へ出力するものである。変換回路３０は、無極性化回路３３、音声フィルタ回路３４、信号フィルタ回路３５と、送信切替回路３６、受信切替回路３７を有する。無極性化回路３３は、電話プラグ２１の接続極性の無極性化を行うものである。また、無極性化回路３３は、例えば変圧トランス等を有しており、電話プラグ２１側のインピーダンスと、無線親機４０側のインピーダンスとのインピーダンス整合を行う。そして、無極性化回路３３は、発信機１２側から送られる電話音声信号を音声フィルタ回路３４及び信号フィルタ回路３５へ出力する。また、無極性化回路３３は、無線親機４０側から送られる無線音声信号を機器側コネクタ３１を介して電話プラグ２１へ出力する。
【００１６】
音声フィルタ回路３４は、例えばバンドパスフィルタ等からなっており、電話プラグ２１側から送信される電話音声信号のフィルタリング処理及びレベル合わせを行う。信号フィルタ回路３５は、例えばバンドパスフィルタを有し、無極性化回路３３からの電話音声信号に対し、ノイズ除去処理を行うと共に、周波数を制限して所定の周波数帯の電話音声信号を通過させる。そして、信号フィルタ回路３５は、所定のレベルの出力信号（電話音声信号）を送信切替回路３６に出力する。
【００１７】
送信切替回路３６は、電話プラグ２１側から電話音声信号が入力されたとき、無極性化回路３３及び音声フィルタ回路３４を介し無線接続端子２２から電話音声信号が出力されるように切替を行う。受信切替回路３７は、無線接続端子２２側から無線音声信号が入力されたとき、無極性化回路３３を介し電話プラグ２１から無線音声信号が出力されるように切替を行う。
【００１８】
ここで、変換回路３０は、送信切替回路３６及び受信切替回路３７によりスイッチング制御される第１スイッチング素子３８ａ、第２スイッチング素子３８ｂ、第３スイッチング素子３８ｃ及び第４スイッチング素子３８ｄを備える。第１スイッチング素子３８ａは、無極性化回路３３と信号フィルタ回路３５との間に接続されている。第１スイッチング素子３８ａがＯＮ状態であるとき、信号フィルタ回路３５がフィルタリングされた電話音声信号を送信切替回路３６に出力し、送信切替回路３６が電話音声信号を検知する。
【００１９】
第２スイッチング素子３８ｂは、無線側コネクタ３２と受信切替回路３７との間に接続されている。第２スイッチング素子３８ｂがＯＮ状態であるとき、無線側コネクタ３２から受信切替回路３７へ無線音声信号が出力される。なお、無線音声信号は、信号レベル合わせが行われた状態で無線側コネクタ３２へ入力されるため、電話音声信号のように、レベル合わせ等を行う必要はない。
【００２０】
第３スイッチング素子３８ｃは、無極性化回路３３と音声フィルタ回路３４との間に接続されている。第３スイッチング素子３８ｃがＯＮ状態であるとき、無極性化回路３３から音声フィルタ回路３４へ無線音声信号が出力される。第４スイッチング素子３８ｄは、無線側コネクタ３２と無極性化回路３３との間に接続されている。なお、いずれの音声信号も入力されていない状態では、第１スイッチング素子３８ａ及び第２スイッチング素子３８ｂはＯＮ状態になっており、第３スイッチング素子３８ｃ及び第４スイッチング素子３８ｄはＯＦＦ状態になっている。
【００２１】
送信切替回路３６は、信号フィルタ回路３５から送られる電話音声信号を検知したとき、第３スイッチング素子３８ｃをＯＦＦ状態からＯＮ状態にする。すると、電話音声信号が無極性化回路３３から音声フィルタ回路３４へ出力される。このとき、送信切替回路３６は、第２スイッチング素子３８ｂをＯＮ状態からＯＦＦ状態にし、無線音声信号による受信切替回路３７の作動を停止させる。一方、送信切替回路３６は、電話音声信号を検知しなくなったとき、第３スイッチング素子３８ｃをＯＮ状態からＯＦＦ状態に制御するとともに、第２スイッチング素子３８ｂをＯＦＦ状態からＯＮ状態にする。
【００２２】
受信切替回路３７は、無線側コネクタ３２から送られる無線音声信号を検知したとき、第４スイッチング素子３８ｄをＯＦＦ状態からＯＮ状態にする。すると、無線側コネクタ３２から無極性化回路３３へ無線音声信号が出力可能な状態になる。このとき、受信切替回路３７は、第１スイッチング素子３８ａをＯＮ状態からＯＦＦ状態にし、電話音声信号の検知による送信切替回路３６の作動を停止させる。一方、受信切替回路３７は、無線音声信号を検知しなくなったとき、第４スイッチング素子３８ｄをＯＮ状態からＯＦＦ状態に制御するとともに、第１スイッチング素子３８ａをＯＦＦ状態からＯＮ状態にする。
【００２３】
また、変換回路３０は、上記各機能を実現するためのオペアンプまたはＩＣを駆動するためのバッテリー電源３９を有する。なお、変換回路３０内にバッテリー電源３９が設けられている場合について例示しているが、無線親機４０から電源供給を受けるようにしてもよいし、電話線Ｌ２に重畳している直流電源から所定の電源電圧の供給を受けるようにしてもよい。
【００２４】
次に、図１及び図２を参照して火災報知設備１の動作例について説明する。火災報知設備１の施工時もしくはメンテナンス時等において、火災受信機１０側の作業員と、端末機器が設置された現場の作業員との間で連絡しながら作業が行われる。このとき、現場の作業員により、発信機１２の電話ジャック１２ａに無線親機４０が無線機接続アダプタ２０を介して接続される。
具体的には、上記接続により、火災受信機１０側で呼び出し音が鳴り、それに応じて、火災受信機１０側の作業員が、送受話器の電話プラグを火災受信機１０に接続すると呼び出し音が停止し、通話が行える状態となる。
【００２５】
この状態で、無線子機５０のマイクから音声が入力されると、音声信号（無線音声信号）が無線親機４０へ無線通信され、無線親機４０で受信された無線音声信号は、無線接続端子２２から変換回路３０の無線側コネクタ３２に入力される。すると、無線音声信号が無線側コネクタ３２から受信切替回路３７に送られる。受信切替回路３７は、第１スイッチング素子３８ａをＯＦＦにし、第４スイッチング素子３８ｄをＯＮにする。そして、無線音声信号が無極性化回路３３及び機器側コネクタ３１を介して電話プラグ２１から発信機１２へ出力される。これにより、電話線Ｌ２を介して、火災受信機１０の送受話器から音声が出力される。その後、無線子機５０からの音声の入力が停止したとき、受信切替回路３７により第１スイッチング素子３８ａがＯＮ状態に戻り、第４スイッチング素子３８ｄがＯＦＦ状態に戻る。
【００２６】
一方、火災受信機１０の送受話器から音声が入力されると、音声信号（電話音声信号）が信号線Ｌ１を介して発信機１２に送信され、電話ジャック１２ａから出力される電話音声信号は、電話プラグ２１から変換回路３０の機器側コネクタ３１に入力される。すると、機器側コネクタ３１から信号フィルタ回路３５を介して送信切替回路３６に送られる。送信切替回路３６は、第２スイッチング素子３８ｂをＯＦＦにし、第３スイッチング素子３８ｃをＯＮにする。そして、電話音声信号が無極性化回路３３、音声フィルタ回路３４及び無線側コネクタ３２を介して無線プラグから無線親機４０へ出力される。無線親機４０は電話音声信号を無線子機５０に無線通信する。これにより、無線子機５０から音声が出力される。その後、火災受信機１０からの音声の入力が停止したとき、送信切替回路３６により第２スイッチング素子３８ｂがＯＮ状態に戻り、第３スイッチング素子３８ｃがＯＦＦ状態に戻る。
【００２７】
上記実施の形態によれば、発信機１２と無線親機４０とが、電話プラグ２１と無線接続端子２２と変換回路３０とを有する無線機接続アダプタ２０を介して接続できるようになる。このため、火災報知設備１の点検時には、既存の無線親機４０及び無線子機５０を使用することができ、専用の無線基地局を設ける必要がなくなり、コストを削減することができるとともに、点検システムの構築を容易に行うことができる。
なお、上記実施の形態において、無線親機４０として、ＶＯＸ機能付きものを挙げて説明したが、当該機能がないものであってもよく、それを無線機接続アダプタ２０を介して接続する構成であってもよい。
例えば、ＶＯＸ機能はないが、マイク入力端子を有し、マイク入力端子へのＯＮ信号の入力により自動的に無線子機５０への送信状態に設定され、ＯＦＦ信号の入力により上記送信状態を停止し、無線子機５０からの音声を受信すると、受信した音声を電話線Ｌ２側へ出力する構成の無線親機４０がある。その場合は、無線機接続アダプタ２０として、図２の構成に追加して、送信切替回路３６と上記マイク入力端子とを配線接続する構成とする。
そして、送信切替回路３６は、信号フィルタ回路３５から送られる電話音声信号を検知したとき、上記配線を介して、ＯＮ信号を無線親機４０に出力し、一方、電話音声信号を検知しなくなったとき、ＯＮ信号からＯＦＦ信号に切り替えて無線親機４０に出力することで、上記実施の形態と同様の効果を奏することができる。
【符号の説明】
【００２８】
１  火災報知設備、１０  火災受信機、１１  火災感知器、１２  発信機、１２ａ  電話ジャック、２０  無線機接続アダプタ、２０ａ、２０ｂ  ケーブル、２１  電話プラグ、２２  無線接続端子、３０  変換回路、３１  機器側コネクタ、３２  無線側コネクタ、３３  無極性化回路、３４  音声フィルタ回路、３５  信号フィルタ回路、３６  送信切替回路、３７  受信切替回路、３８ａ  第１スイッチング素子、３８ｂ  第２スイッチング素子、３８ｃ  第３スイッチング素子、３８ｄ  第４スイッチング素子、３９  バッテリー電源、４０  無線親機、５０  無線子機、Ｌ１  信号線、Ｌ２  電話線。
【図１】
2019003315.tif 000003
【図２】
2019003315.tif 000004